(57)【要約】【課題】裏面側に粘着層が形成されたフィルム１を商品に容易に被せたり包んだりすることができる包装用フィルムを提供する。【解決手段】所定の形状に形成され、裏面側に粘着層３が設けられた平面状の複数枚のフィルム１を有し、当該各フィルム１が表裏面を同じ向きにした状態で積層され、粘着層３によって隣り合うフィルム１同士が互いに貼り合わされてフィルム積層体２を構成している包装用フィルムを構成する。【選択図】図１
0003208130.tif 000002
【実用新案登録請求の範囲】
【請求項１】
所定の形状に形成され、裏面側に粘着層（３）が設けられた平面状の複数枚のフィルム（１）を有し、当該各フィルム（１）が表裏面を同じ向きにした状態で積層され、前記粘着層（３）によって隣り合う前記フィルム（１）同士が互いに貼り合わされてフィルム積層体（２）を構成している包装用フィルム。
【請求項２】
前記フィルム（１）が矩形状であり、当該フィルム（１）の対向する二辺側に粘着層（３）が設けられている請求項１に記載の包装用フィルム。
【請求項３】
前記フィルム（１）が矩形状であり、当該フィルム（１）のいずれか一辺側に粘着層（３）が設けられている請求項１に記載の包装用フィルム。
【請求項４】
前記フィルム積層体（２）を構成する最も裏面側のフィルム（１）の裏面に、当該フィルム（１）に設けられた前記粘着層（３）を保護する保護部材（４）が設けられている請求項１から３のいずれか１項に記載の包装用フィルム。
【考案の詳細な説明】
【技術分野】
【０００１】
この考案は、青果物などの商品を入れたパックに被せたり、商品を直接包んだりする包装用フィルムに関する。
【背景技術】
【０００２】
スーパーマーケットなどの小売店においては、青果物などの商品を上面側が開口したパック（トレイも含む）に入れ、当該パックの開口を覆うように包装用フィルムを被せたり、白菜などの商品を当該包装用フィルムで直接包んだりした状態で、当該商品を販売することが多い。
【０００３】
この包装用フィルムとして、例えば、特許文献１に示すものがある。当該包装用フィルムは、芯材にロール状に巻き取られた一定の幅の長尺状フィルムであり、少なくとも一方の端部の裏面には、フィルム長さ方向に向けて一定の幅の粘着面が形成されている。この包装用フィルムを使用した包装作業では、ロール状に巻き取られた包装用フィルムを必要とする長さだけ繰り出した上で切断し、包装対象の容器に貼り付ける。この包装用フィルムに、一定の長さごとにミシン目などの切断線を予め付けておくこともできる（特許文献１の図１、段落０００６〜０００９など参照）。
【先行技術文献】
【特許文献】
【０００４】
【特許文献１】特開平９−５８７４３号公報
【考案の概要】
【考案が解決しようとする課題】
【０００５】
特許文献１に示す構成の包装用フィルムは、ロール状に巻き取られているため、保管中に巻きぐせが付いてしまい、繰り出した際にロール状に丸まって作業を行いづらいことがある。また、当該包装用フィルムを手で引っ張って（張力を作用させて）切断線で切断する際に、切断の瞬間の張力変化によって当該包装用フィルムがそれ自体に形成した粘着面に貼り付いてくしゃくしゃになってしまい、使い物にならなくなることもある。
【０００６】
そこで、この考案は、裏面側に粘着層が形成された包装用フィルムを商品に容易に被せたり包んだりすることを課題とする。
【課題を解決するための手段】
【０００７】
上記課題を解決するため、この考案は、所定の形状に形成され、裏面側に粘着層が設けられた平面状の複数枚のフィルムを有し、当該各フィルムが表裏面を同じ向きにした状態で積層され、前記粘着層によって隣り合う前記フィルム同士が互いに貼り合わされてフィルム積層体を構成している包装用フィルムを構成した。
【０００８】
このように、平面状のフィルムを複数枚積層させてフィルム積層体としたので、このフィルム積層体から１枚ずつフィルムを剥離して使用する際に、当該フィルムが丸まらない。このため、作業をスムーズに行うことができる。また、各フィルムは、予め所定形状に形成されており、使用の際に切断する必要がないため、切断に伴って当該フィルムがくしゃくしゃになる虞もない。
【０００９】
この包装用フィルムにおいては、前記フィルムが矩形状であり、当該フィルムの対向する二辺側に粘着層が設けられている構成とすることができる。例えば、上面が開口した直方体状のパックにイチゴなどの商品を収納した上で前記開口を覆うように当該フィルムを被せ、当該パックの底面または対向する二側面に前記粘着層をそれぞれ貼り付けて、当該フィルムを固定することによって、パックに収納した商品を確実に保護することができる。
【００１０】
また、この包装用フィルムにおいては、前記フィルムが矩形状であり、当該フィルムのいずれか一辺側に粘着層が設けられている構成とすることもできる。例えば、白菜のようにパックに入れずに販売されることが多い商品をフィルムで巻くように直接包み、さらに、このフィルム面上に前記粘着層を貼り付けて固定することによって、商品を確実にフィルムで保護することができる。
【００１１】
上記の包装用フィルムにおいては、前記フィルム積層体を構成する最も裏面側のフィルムの裏面に、当該フィルムに設けられた前記粘着層を保護する保護部材が設けられている構成とすることができる。このように、保護部材を設けることにより、最裏面側のフィルムに設けられた粘着層が作業台などの周囲の備品に貼り付くのを防止することができる。また、保護部材が、フィルム積層体の曲げ強度を補強する補強材として作用するため、フィルム積層体がたわんでフィルムにダメージが生じるのを防止することができる。
【考案の効果】
【００１２】
この考案においては、所定の形状に形成され、裏面側に粘着層が設けられた平面状の複数枚のフィルムによってフィルム積層体を構成したので、このフィルム積層体から１枚ずつフィルムを剥離して使用する際に、当該包装用フィルムが丸まらない。このため、剥離したフィルムをパックに被せる作業などをスムーズに行うことができる。また、各フィルムは、予め所定形状に形成されており、使用の際に切断する必要がないため、この切断に伴ってフィルムがくしゃくしゃになる虞もない。このため、フィルムが無駄になるのを防止することができる。
【図面の簡単な説明】
【００１３】
【図１】本願考案に係る包装用フィルムの第一実施形態を示す斜視図
【図２】図１中のＩＩ−ＩＩ線に沿う断面図
【図３】図１に示す包装用フィルムの使用例を示す斜視図
【図４】本願考案に係る包装用フィルムの第二実施形態を示す斜視図
【図５】（ａ）、（ｂ）は、図４に示す包装用フィルムの使用例を示す斜視図
【考案を実施するための形態】
【００１４】
この考案に係る包装用フィルムの第一実施形態を図１から図３に示す。この包装用フィルムは、イチゴなどのようにパックＰにフィルム１を被せた状態で販売される商品Ｍに用いられる（図３参照）。この包装用フィルムは、矩形状に形成された、平面状の複数枚（通常は数百枚程度）のフィルム１を積層したフィルム積層体２を有する。積層された各フィルム１の裏面側の対向する二辺側には、帯状の粘着層３が設けられている。当該フィルム１の表裏面を同じ向きに（全てのフィルム１の表面を上向きに、裏面を下向きに）積層することにより、積層したフィルム１のうち、上側のフィルム１の裏面側に設けた粘着層３が、当該フィルム１の下側のフィルム１の表面側に貼り付く。これにより、積層された全てのフィルム１が、粘着層３を介して順次貼り合わされた状態となって、複数のフィルム１がずれることなく保持される。
【００１５】
フィルム積層体２を構成する最も裏面側のフィルム１の裏面には、保護部材４が設けられている。この保護部材４は、最も裏面側のフィルム１の裏面側に設けられた粘着層３に貼り付いて、当該粘着層３を保護する役目を有している。このように、保護部材４を設けることにより、最裏面の粘着層３が作業台などの周囲の物品に不用意に貼り付いて、粘着層３の粘着力が低下したり作業性が低下したりするのを防止することができる。
【００１６】
フィルム１の素材として、例えば、使用時に商品側となる面（この実施形態では裏面）に防曇処理を施した延伸ポリプロピレン（以下、「ＯＰＰ」と称する。）を採用するのが好ましい。防曇処理を施したＯＰＰフィルムは、透明性が高く、商品の水分によって当該フィルム１の内面に曇りが生じないため、商品Ｍ（図３参照）の高い視認性を確保することができる。また、印刷性に優れるためフィルム１の表面に商品名や絵柄などをきれいに印刷でき、高い販売促進効果を発揮することができる。しかも、焼却時に有毒ガスを発生しないため、環境性にも優れている。このフィルム１の素材は上記に限定されず、ポリエチレンテレフタレート、ポリ塩化ビニル等の汎用樹脂や、環境負荷のより小さい生分解性プラスチックなどの他の素材を適宜採用することもできる。
【００１７】
粘着層３に用いられる粘着剤についても特に限定はされないが、収納した商品Ｍの安全性を確保できる限りにおいて、適宜選択することができる。
【００１８】
保護部材４は、フィルム１の形状と同一の形状とするのが好ましい。このように、同一形状とすることによって、フィルム積層体２の端部から当該保護部材４が突出して、保管の際に邪魔になるのを防止することができるとともに、フィルム積層体２が補強され、当該フィルム積層体２を手で持ったときにたわみが生じて、フィルム１が無理に引き伸ばされて変形するのを防止することができる。この保護部材４として、この実施形態では厚紙を採用したが、樹脂板などの他の部材を採用することもできる。
【００１９】
第一実施形態に係る包装用フィルムの使用に際しては、フィルム１の裏面側が下向きとなるように当該包装用フィルムを作業台などの上に載置する。そして、フィルム積層体２の最表面側のフィルム１を一枚ずつ手でめくって剥がす。剥がされたフィルム１は、図３に示すように、青果物などの商品Ｍが盛られたパックＰに被せられる。そして、パックＰの対向する側面に、フィルム１の裏面の対向する二辺に設けられた粘着層３が貼り付けられる。このように、商品Ｍにフィルム１を覆い被せることによって商品Ｍを保護することができる。
【００２０】
当該フィルム１は、平面状のまま積層されているため、ロール状のフィルムのようにその保管中に巻きぐせが付くことはない。このため、剥離した際にフィルム１が丸まらず、パックＰにフィルム１をスムーズに被せることができる。また、各フィルム１は、予め所定形状に形成されており、使用の際に切断する必要がないため、この切断に伴ってフィルム１がくしゃくしゃになる虞もない。このため、フィルム１が無駄になるのを防止することができる。
【００２１】
この考案に係る包装用フィルムの第二実施形態を図４および図５（ａ）、（ｂ）に示す。この包装用フィルムは、白菜などのようにパックに入れずにフィルム１で直接包まれた状態で販売される商品に用いられる（図５（ｂ）参照）。この包装用フィルムは、矩形状に形成された、平面状の複数枚のフィルム１を積層したフィルム積層体２である点において、第一実施形態に係る包装用フィルムと共通している。その一方で、積層された各フィルム１の裏面側のいずれか一辺側のみに、帯状の粘着層３が設けられている点において、第一実施形態に係る包装用フィルムと相違している。
【００２２】
当該フィルム１の表裏面を積層することにより、積層したフィルム１のうち上側のフィルム１の裏面側に設けた粘着層３が、当該フィルム１の下側のフィルム１の表面側に貼り付き、フィルム積層体２が構成される。このフィルム積層体２は、第一実施形態に係るフィルム積層体２と異なり、粘着層３を設けた一辺側と対向する辺側には粘着層３が設けられていないため、この粘着層３が設けられていない辺側から、自由にフィルム１をめくることができる。
【００２３】
このフィルム１の素材として、第一実施形態と同様に、使用時に商品Ｍ（図５（ａ）参照）側となる面に防曇処理を施したＯＰＰを用いるのが好ましい。
【００２４】
第二実施形態に係る包装用フィルムの使用に際しては、裏面側が上向きとなるように当該包装用フィルムを作業台などの上に載置する。この載置後に、当該裏面側に設けられている保護部材４を剥離して、粘着層３を露出させる。そして、図５（ａ）に示すように、フィルム積層体２の上（フィルム積層体２（フィルム１）の裏面側）に、白菜などの商品Ｍを置いて、フィルム１の粘着層３が形成されていない側から商品Ｍを転がして、最も裏面側のフィルム１を当該商品Ｍに巻き付ける。フィルム１を最後まで巻き付けると、当該フィルム１の裏面側に設けられた粘着層３が当該フィルム１の表面側に貼り付いて、図５（ｂ）に示すように、このフィルム１が商品Ｍに巻き付けられた状態で固定される。
【００２５】
なお、上記の使用の手順においては、商品Ｍにフィルム１を巻き付ける前に保護部材４を剥離したが、上記のように、商品Ｍをフィルム積層体２の裏面側に置いた状態で当該商品Ｍをフィルム１に巻くのではなく、フィルム積層体２の最表面側のフィルム１を一枚ずつ手でめくって剥がした後に、この剥がしたフィルム１を商品Ｍに巻き付けるようにしてもよい。この場合は、フィルム積層体２の裏面側に保護部材４を設けたままの状態とするのが好ましい。
【００２６】
上記の実施形態はあくまでも例示に過ぎず、裏面側に粘着層３が形成された包装用フィルムを商品Ｍに容易に被せたり包んだりするという、この考案の課題を解決し得る限りにおいて、フィルム１の形状、その素材、粘着層３の位置など、その構成を適宜変更することができる。
【符号の説明】
【００２７】
１  フィルム
２  フィルム積層体
３  粘着層
４  保護部材
Ｐ  パック
Ｍ  商品
【図１】
0003208130.tif 000003
【図２】
0003208130.tif 000004
【図３】
0003208130.tif 000005
【図４】
0003208130.tif 000006
【図５】
0003208130.tif 000007